(57)【要約】【課題】詳細な時刻を表示部に表示させる場合に機器の制御部の負荷を増大させない表示装置および表示パネルの駆動装置を提供する。【解決手段】ドライバＩＣ１２は、時刻を示す時刻情報を入力するとともに、水晶発振器３１からのクロック信号にもとづいて時刻情報を更新して時刻情報を出力する時刻制御回路と、時刻制御回路から入力した時刻情報にもとづく駆動信号を作成する時計用電圧選択回路と、表示部１１に形成される時刻表示ウィンドウ１３に時刻情報を表示するときに、映像信号にもとづく駆動信号に代えて、時計用電圧選択回路が生成した駆動信号で、時刻表示ウィンドウ１３を駆動するための切替回路とを内蔵する。【選択図】図１
2008083589.tif 000002
【特許請求の範囲】
【請求項１】
映像信号出力部から出力される映像信号にもとづく駆動信号によって駆動されることによって表示部に表示を行い、前記駆動信号を出力する駆動回路を備えた表示装置において、
前記駆動回路は、
時刻を示す時刻情報を受信するとともに、クロック信号にもとづいて時刻情報を更新して時刻情報を出力する時刻管理回路と、
前記時刻管理回路から受信した時刻情報にもとづく駆動信号を作成する時刻情報駆動信号生成回路と、
前記表示部に形成される時刻表示部に時刻情報を表示するときに、映像信号にもとづく駆動信号に代えて、前記時刻情報駆動信号生成回路が生成した駆動信号で、時刻表示部を駆動する駆動信号切替回路とを含む
ことを特徴とする表示装置。
【請求項２】
表示装置は、映像信号出力部から配線ケーブルを介して映像信号を受信し、
配線ケーブルに、クロック信号を発生する水晶発振器が搭載されている
請求項１記載の表示装置。
【請求項３】
原子時計にもとづく時刻情報を送信する送信局から時刻情報を受信する電波時計ＩＣが配線ケーブルに搭載され、
時刻管理回路は、前記電波時計ＩＣから時刻情報を得るように構成された
請求項２記載の表示装置。
【請求項４】
映像信号出力部から出力される映像信号にもとづく駆動信号によって駆動されることによって表示部に表示を行う表示パネルに、前記駆動信号を出力する表示パネルの駆動装置において、
時刻を示す時刻情報を受信するとともに、クロック信号にもとづいて時刻情報を更新して時刻情報を出力する時刻管理回路と、
前記時刻管理回路から受信した時刻情報にもとづく駆動信号を作成する時刻情報駆動信号生成回路と、
前記表示部に形成される時刻表示部に時刻情報を表示するときに、映像信号にもとづく駆動信号に代えて、前記時刻情報駆動信号生成回路が生成した駆動信号で、時刻表示部を駆動する駆動信号切替回路とを備えた
ことを特徴とする表示パネルの駆動装置。
【発明の詳細な説明】
【技術分野】
【０００１】
本発明は、液晶表示パネルや有機ＥＬパネルなどの表示パネルを駆動する駆動装置、および駆動装置を備えた表示装置に関する。
【背景技術】
【０００２】
原子時計にもとづく時刻情報を送信する送信局から時刻情報を受信する電波時計機能を備えた携帯電話機等の携帯端末が提案されている（例えば、特許文献１参照。）そのような携帯端末は、表示部に正確な時刻を表示することができる。そして、表示部に、電波時計機能にもとづく時刻を表示させる場合には、一般に、携帯端末に搭載されているＭＰＵ（Micro Processing Unit）が、送信局から適宜受信した時刻情報にもとづく時刻を管理し、管理している時刻を、例えば秒単位で表示部に表示させる制御を行う。
【０００３】
【特許文献１】特開２００４−１５７１３号公報（段落００２２−００２２、図１）
【発明の開示】
【発明が解決しようとする課題】
【０００４】
しかし、携帯端末において時・分・秒までの詳細な時刻を表示させようとすると、ＭＰＵの時刻管理に要する負荷が重くなる。携帯端末に搭載されているＭＰＵは、携帯端末が備える機能を実現するための能力を有し、かつ、コスト増を防止するために能力が過剰にならないように選定される。よって、時刻管理に要する負荷が重くなると、その分、携帯端末が備える機能を豊富にすることに制約が出る。
【０００５】
そこで、本発明は、詳細な時刻を表示部に表示させる場合に機器の制御部の負荷を増大させない表示装置および表示パネルの駆動装置を提供することを目的とする。
【課題を解決するための手段】
【０００６】
本発明による表示装置は、映像信号出力部（例えば、ＭＰＵ）から出力される映像信号にもとづく駆動信号によって駆動されることによって表示部に表示を行い、駆動信号を出力する駆動回路を備えた表示装置であって、駆動回路は、時刻を示す時刻情報を受信するとともに、クロック信号にもとづいて時刻情報を更新して時刻情報を出力する時刻管理回路（例えば、時刻制御回路１２２）と、時刻管理回路から受信した時刻情報にもとづく駆動信号を作成する時刻情報駆動信号生成回路（例えば、時計用電圧選択回路１２８で実現される。）と、表示部に形成される時刻表示部（例えば、時刻表示ウィンドウ１３）に時刻情報を表示するときに、映像信号にもとづく駆動信号に代えて、時刻情報駆動信号生成回路が生成した駆動信号で、時刻表示部を駆動する駆動信号切替回路（例えば、スイッチ制御回路１３０およびスイッチ１２７，１２９で実現される。）とを含むことを特徴とする。
【０００７】
表示装置は、映像信号出力部から配線ケーブル（例えば、フレキシブル基板３０）を介して映像信号を受信し、配線ケーブルに、クロック信号を発生する水晶発振器が搭載されていることが好ましい。そのような構成によれば、時刻情報更新のために用いる水晶発振器を駆動回路の近傍に設置でき、駆動回路との間の配線が容易である。
【０００８】
原子時計にもとづく時刻情報を送信する送信局から時刻情報を受信する電波時計ＩＣが配線ケーブルに搭載され、時刻管理回路は、電波時計ＩＣから時刻情報を得るように構成されていてもよい。
【０００９】
本発明による表示パネルの駆動装置は、映像信号出力部から出力される映像信号にもとづく駆動信号によって駆動されることによって表示部に表示を行う表示パネルに、駆動信号を出力する表示パネルの駆動装置であって、時刻を示す時刻情報を受信するとともに、クロック信号にもとづいて時刻情報を更新して時刻情報を出力する時刻管理回路と、時刻管理回路から受信した時刻情報にもとづく駆動信号を作成する時刻情報駆動信号生成回路と、表示部に形成される時刻表示部に時刻情報を表示するときに、映像信号にもとづく駆動信号に代えて、時刻情報駆動信号生成回路が生成した駆動信号で、時刻表示部を駆動する駆動信号切替回路とを備えたことを特徴とする。
【発明の効果】
【００１０】
本発明によれば、表示装置の側で時刻を管理することができるので、詳細な時刻を表示部に表示させる場合でも機器の制御部の負荷を増大させないようにすることができる。
【発明を実施するための最良の形態】
【００１１】
以下、本発明の実施の形態を図面を参照して説明する。
【００１２】
（実施の形態１）
図１は、本発明による表示装置の第１の実施の形態を、表示装置に表示データを供給する制御を行うＭＰＵおよび表示装置に表示データを伝達するフレキシブル基板（フレキシブルケーブル）とともに示すブロック図である。なお、ここでは、表示装置として、ＴＦＴ（Thin Film Transistor ）が組み込まれ、ソース配線とゲート配線とが交差するように形成され線順次駆動されるＴＦＴ型液晶表示装置を使用する場合を例にする。また、ＭＰＵが組み込まれる機器として携帯電話機等の携帯機器を想定する。また、本実施の形態では、表示パネルとフレキシブル基板とを含む部分を表示装置と捉える。
【００１３】
図１に示すように、表示パネル１１の表示部には、時刻表示ウィンドウ１３の領域が割り当てられている。時刻表示ウィンドウ１３には、時・分・秒が、それぞれ２桁で表示される。また、表示パネルには、ソースドライバ、ゲートドライバおよび電源回路を含む駆動回路（駆動装置）としてのドライバＩＣ１２が搭載されている。後述するように、ドライバＩＣ１２には、電波時計機能を実現するための回路も搭載されている。
【００１４】
ＭＰＵ４０は、表示データを含む画像信号をフレキシブル基板３０を介して表示パネル１１に出力する制御を行う表示制御部４１を含む。なお、表示制御部４１は、主としてプロセッサに従って処理を実行する中央演算部で実現される。また、画像信号の形式として、非同期に表示データを出力する形式であるいわゆるＭＰＵインタフェース、同期信号としてＶＳＹＮＣ（垂直同期信号）を含むいわゆるＶＳＹＮＣインタフェース、同期信号としてＶＳＹＮＣおよびＨＳＹＮＣ（水平同期信号）を含むいわゆるＲＢＧインタフェース、その他いずれのインタフェースを用いてもよい。
【００１５】
また、ＭＰＵ４０は、携帯機器においてＭＰＵ４０の外部に備えられている電波時計ＩＣ５１から、時・分・秒等の情報を含むタイムコード信号を受信して、時・分・秒の情報を含む時刻情報信号をフレキシブル基板３０を介して表示パネル１０に出力するデコード部４２を含む。デコード部４２は、主としてプロセッサに従って処理を実行する中央演算部で実現される。また、電波時計ＩＣ５１は、アンテナ部５２を介して、原子時計にもとづく時刻情報を送信する送信局から時刻情報を受信する。
【００１６】
フレキシブル基板３０には、水晶発振器３１が搭載されている。水晶発振器３１は、表示パネル１０に実装されているドライバＩＣ１２に入力される。
【００１７】
図２（Ａ）は、時刻表示ウィンドウ１３の構成例を示す説明図である。時刻表示ウィンドウ１３には、エリア１〜エリア８が設けられている。エリア１，２は時の表示を行う領域であり、エリア４，５は分の表示を行う領域であり、エリア７，８は秒の表示を行う領域である。また、エリア１，２とエリア４，５との間に時と分の境を示すエリア３が設けられ、エリア４，５とエリア７，８との間に分と秒の境を示すエリア６が設けられている。
【００１８】
エリア１，２，４，５，７，８には、ａ〜ｇの表示領域（以下、セグメントという。）がある。エリア３，６には、ａ，ｂのセグメントがある。各セグメントでは、例えば点灯時に黒表示が行われる。
【００１９】
図２（Ｂ）は、エリアの一部を拡大して示す説明図である。図２（Ｂ）には、エリア１、エリア２およびエリア８の一部が示されている。図２（Ｂ）において、ｃ４〜ｃ１１は、表示パネル１０（具体的には、表示部１１）における走査電極としての各ゲート電極（ゲート配線）に相当する行を示し、ｒ１３〜ｒ６６は、データ電極としての各ソース電極（ソース配線）に相当する列を示す。また、矩形は画素を示し、斜線部分はノーマリホワイトでの点灯画素を示す。以下、ｃ４〜ｃ１１における数字を行アドレスといい、ｒ１３〜ｒ６６における数字を列アドレスという。
【００２０】
図３は、エリアおよびセグメントと、行アドレスおよび列アドレスとの対応関係を示す説明図である。図３には、エリア１の場合の一部が示されている。例えば、セグメントａは、行アドレス「５」で示される行と列アドレス「１５」〜「１８」で示される列との交点の画素で形成されることを示す。図３に例示された対応関係を示すデータは、例えばドライバＩＣ１２に内蔵されたＲＯＭまたはレジスタ（ＲＡＭ）にあらかじめ格納される。
【００２１】
なお、ＲＯＭに代えて、書き換え可能な不揮発性のメモリ素子を用いてもよい。書き換え可能なメモリ素子を用いる場合には、容易にエリアのサイズや位置を変えることができる。また、メモリ素子を用いず、対応関係をハードウェアで固定的に実現するようにしてもよい。
【００２２】
図４は、ドライバＩＣ１２に内蔵された電波時計機能を実現するための回路の一部を水晶発振器３１とともに示すブロック図である。ここでは、水晶発振器３１の発振周波数は２０ＭＨｚであるとする。分周回路１２１は、２０ＭＨｚのクロック信号の周波数を１／４００００して、５０Ｈｚのクロック信号を出力する。このように、高精度の水晶発振器３１を使用し、かつ、時刻制御回路１２２は、水晶発振器３１が発振するクロック信号を分周して用いることになるので、高精度のクロック信号を用いつつ、計数機能を実現する際の処理負担はさほど高くならない。
【００２３】
時刻制御回路１２２は、ＭＰＵ４０から時刻情報信号を受信すると、内部で記憶する時刻を示すデータを、時刻情報信号が示すデータに設定する。なお、ＭＰＵ４０は、例えば、１日に１回とか数時間に１回の周期で時刻情報信号を出力する。また、時刻制御回路１２２は、分周回路１２１から５０クロックが入力されると、時刻を示すデータを更新する。すなわち、１秒分増やす。
【００２４】
さらに、時刻制御回路１２２は、例えば時刻を示すデータを更新したときに、時刻を示すデータに応じて、エリア選択信号およびセグメント選択信号を作成して出力する。エリア選択信号は８つの信号（エリア１選択信号〜エリア８選択信号）で構成され、それぞれが、エリア１〜エリア８のそれぞれに対応する。セグメント選択信号は７つの信号（ａ選択信号〜ｇ選択信号）で構成され、それぞれが、セグメントａ〜セグメントｇに対応する。
【００２５】
なお、セグメント選択信号を各エリア１〜８のそれぞれに対応して出力されるようにしてもよいが、以下の説明では、セグメント選択信号は、各エリア１〜８のそれぞれについて共用されるとする。
【００２６】
図５は、エリア１についての選択制御信号（１−ａ選択信号〜１−ｇ選択信号）の出力回路例を示す回路図である。なお、選択制御信号とは、そのエリアのセグメントａ〜セグメントｇを点灯させるか否かを示す信号である。選択制御信号のうち、１−ａ選択信号とは、エリア１のセグメントａを点灯させるか否かを示す信号である。１−ｂ選択信号〜１−ｇ選択信号は、セグメントｂ〜セグメントｇを点灯させるか否かを示す信号である。
【００２７】
図５には、エリア１についての出力回路が示されているが、エリア２〜８についての出力回路も、図５に示された構成と同様に構成される。ただし、エリア３については、３−ａ選択信号および３−ｂ選択信号しか出力されず、エリア６については、６−ａ選択信号および６−ｂ選択信号しか出力されない。
【００２８】
時刻制御回路１２２は、所定のタイミングで、エリア１選択信号〜エリア８選択信号を順次出力する。また、エリア１選択信号〜エリア８選択信号の出力に同期して、エリア１〜８についてのセグメント選択信号を出力する。例えば、エリア１に「１」を表示させる場合には、エリア１選択信号を出力し、セグメント選択信号のうちｅ選択信号およびｆ選択信号をオン状態にする（図２参照）。
【００２９】
図５に示す例では、時刻制御回路１２２から出力されたセグメント選択信号は、論理積回路１２３ａ〜１２３ｇによって、エリア１選択信号がオン状態であるときに、エリア１についての選択制御信号として出力される。また、図５には示されていないが、時刻制御回路１２２から出力されたセグメント選択信号は、各エリアについての８つの論理積回路（エリア３，６については２つの論理積回路）によって、エリア２選択信号〜エリア８選択信号がオン状態であるときに、エリア２〜８のそれぞれについての選択制御信号として出力される。
【００３０】
図６は、ドライバＩＣ１２に内蔵された電波時計機能を実現するための回路の他の部分を画像メモリ１２５および表示用電圧発生回路１２６とともに示すブロック図である。画像メモリ１２５には、ＭＰＵ４０から出力された画像データが格納される。また、表示用電圧発生回路１２６は、ソースドライバに相当するものであるが、シリアル−パラレル変換器およびγ補正を行うγ補正回路を含む。なお、図６における画像メモリ１２５内に示されている数値は、エリア１のセグメントａの行アドレスおよび列アドレスである。つまり、図６において、画像メモリ１２５内のエリア１のセグメントａのデータ格納部分が明示されている。
【００３１】
時計用電圧発生回路１２８には、各エリアについてのエリア選択信号とセグメント選択信号が入力される。すなわち、エリア１〜８のそれぞれについて、セグメントａ〜ｇを点灯させるか否かを示す信号が入力される。ただし、エリア３，６については、エリア選択信号とセグメントａ，ｂを点灯させるか否かを示す信号のみが入力される。
【００３２】
時計用電圧選択回路１２８は、エリア１〜８のそれぞれについてセグメントａ〜ｇを所定の電圧で点灯させるか否かを示す信号が入力されるので、この例では、第４〜１６行（ｃ４〜ｃ１６）の第１３〜６６列（ｒ１３〜ｒ６６）の画素のそれぞれを所定の電圧で点灯させるか否かを示す情報が入力されることになる。なお、図２（Ｂ）には、第４〜１１行が例示されているが、時刻表示ウィンドウ１３は、第４〜１６行（ｃ４〜ｃ１６）の第１３〜６６列の画素で形成されているとする。
【００３３】
図６に示す回路には、セグメントイネーブル信号が入力される。セグメントイネーブル信号は、時刻表示ウィンドウ１３に表示を行わせるか否かを示す信号であり、例えば、ＭＰＵ４０側から入力される。例えば、携帯機器の使用者が携帯機器の操作部で時刻表示を行わせることを示す操作を行うと、操作されたことを示す操作信号が、操作部からＭＰＵ４０に出力される。ＭＰＵ４０は、操作部から操作信号が入力されたときに、セグメントイネーブル信号をオン状態にする。
【００３４】
スイッチ制御回路１３０は、セグメントイネーブル信号がオン状態になり、かつ、時刻表示ウィンドウ１３における第４〜１６行のデータにもとづく電圧がソース配線に印加される時期に、すなわちｃ４〜ｃ１６が選択される期間において、スイッチ１２９をオン状態に制御し、スイッチ１２７をオフ状態に制御する。つまり、セグメントイネーブル信号がオン状態であって、時刻表示ウィンドウ１３の領域のデータにもとづく電圧をソース配線に印加する時期に、スイッチ１２９をオン状態に制御する。また、セグメントイネーブル信号がオフ状態であるとき、またはオン状態であっても時刻表示ウィンドウ１３の領域のデータにもとづく電圧をソース配線に印加する時期以外の時期には、スイッチ１２７をオン状態に制御し、スイッチ１２９をオフ状態に制御する。なお、スイッチ１２７，１２９は、例えばトランジスタ回路（アナログスイッチ回路）で形成される。
【００３５】
スイッチ１２９の出力側とスイッチ１２７の出力側とは接続され、ソース配線に至る。なお、表示用電圧選択回路１２６の出力数は、ソース配線の数分である。また、時計用電圧選択回路１２６の出力数は、時刻表示ウィンドウ１３の領域におけるソース配線の数分である。この例では、ｒ１３〜ｒ６６に応じた「５４」である。よって、スイッチ１２９は、ｒ１３〜ｒ６６に応じた数分設けられる。ｒ１３〜ｒ６６以外の列（ソース配線）に対する表示用電圧選択回路１２６からの電圧は、そのままソース配線に出力される。
【００３６】
次に、ドライバＩＣ１２の電波時計機能に係る動作を説明する。
セグメントイネーブル信号がオフ状態であるときには、スイッチ制御回路１３０によって、スイッチ１２９がオフ状態に制御され、スイッチ１２７がオン状態に制御される。その状態では、表示用電圧選択回路１２６は、１行分の表示データが画像メモリ１２５から転送される毎に表示データに応じた電圧を各ソース配線に印加する通常の駆動を行う。
【００３７】
時刻制御回路１２２は、時刻情報信号を受信したときに、内部で記憶する時刻を示すデータを、時刻情報信号が示すデータに設定する。その後、分周回路１２１から５０クロックが入力される度に、時刻を示すデータを１秒分増やす。そして、例えば時刻を示すデータを更新したときに、内部で記憶する時刻に応じた表示が時刻表示ウィンドウ１３に表示されるように、エリア選択信号とセグメント選択信号とを出力する。
【００３８】
時刻制御回路１２２からのエリア選択信号とセグメント選択信号とにもとづいて、各エリア１〜８について、どのセグメントを所定の電圧で点灯させるのかを特定可能な選択制御信号が、時計用電圧選択回路１２８に入力される（図５参照）。なお、実際に時刻表示ウィンドウ１３に時刻に応じた表示がなされるのは、セグメントイネーブル信号がオン状態になったときから所定時間が経過するまでの間である。また、ＭＰＵ４０が、時刻に応じた表示を時刻表示ウィンドウ１３にさせたい期間ではセグメントイネーブル信号のオン状態を維持し、セグメントイネーブル信号がオン状態になってからオフ状態になるまで、時刻表示ウィンドウ１３に時刻に応じた表示を行うようにしてもよい。
【００３９】
セグメントイネーブル信号がオン状態になると、スイッチ制御回路１３０は、ｃ４〜ｃ１６が選択される期間において、スイッチ１２９をオン状態に制御し、スイッチ１２７をオフ状態に制御する。スイッチ１２９がオン状態に制御され、スイッチ１２７がオフ状態に制御されている間、第１３〜６６列（ｒ１３〜ｒ６６）には、時計用電圧選択回路１２８が出力する電圧が印加される。
【００４０】
図２に明示されているエリア１のセグメントａの表示データについて説明すると、スイッチ１２９がオン状態に制御され、スイッチ１２７がオフ状態に制御されている間、第１５〜１８列（ｒ１５〜ｒ１８）の表示データにもとづく電圧はソース配線に印加され、ｒ１５〜ｒ１８のソース配線には、時計用電圧選択回路１２８が生成した、時刻表示のための電圧が印加される。
【００４１】
なお、スイッチ制御回路１３０は、図３に例示された対応関係を示すデータ（以下、テーブルという。）を参照比較し制御する。また、動作時のテーブルは、内部レジスタ（ＲＡＭ）に格納される。
【００４２】
スイッチ制御回路１３０は、図３に例示するテーブルデータを参照比較して、エリアおよびセグメントに含まれる画素の表示位置を特定する。すなわち、選択制御信号で指定されるエリアおよびセグメントが、どの行とどの列との交点の画素を含むのかを特定する。例えば、エリア１のセグメントａを例にすると、選択制御信号がオン状態であれば、テーブルを参照して、第５行の第１３〜２０列の画素を、スイッチ１９２をオン状態にして点灯表示制御させるべきであると判定できる。
【００４３】
そして、エリア１のセグメントａを例にすると、第５行（ｃ５）が選択される時期に、第１３〜２０列（ｒ１３〜ｒ２０）に対応する出力に、点灯表示制御データに対応した電圧を出力する。エリア１の他のセグメントについても、選択制御信号がオン状態であれば、テーブルの内容から画素位置を特定し、その画素に点灯表示制御データに対応した電圧を出力する。他のエリア２〜８についても、同様に、選択制御信号がオン状態であれば、テーブルの内容から画素位置を特定し、その画素に点灯表示制御データに対応した電圧を出力する。
【００４４】
時計用電圧選択回路１２８が出力する電圧は、スイッチ１２９を介して、該当する行の該当する列（ソース配線）に印加される。なお、時計用電圧選択回路１２８とスイッチ制御回路１３０には、ソースドライバに制御信号を供給するコントローラ（ドライバＩＣ１２に内蔵されている。）から、１ラインの開始を示す信号や１画素のデータシフトさせる処理に対応するクロック信号が供給されている。時計用電圧選択回路１２８は、それらの信号にもとづいて、電圧を出力する時期を特定できる。また、スイッチ制御回路１３０は、それらの信号にもとづいて、ｃ４〜ｃ１６が選択される時期であることを特定できる。
【００４５】
以上のような制御によって、時刻制御回路１２２が管理する時・分・秒で表される時刻が時刻表示ウィンドウ１３に表示される。そのとき、表示部１１における時刻表示ウィンドウ１３の領域以外の領域では、画像メモリ１２５の記憶内容に応じた表示がなされている。また、時刻表示ウィンドウ１３に時・分・秒で表される時刻を表示させるために、ＭＰＵ４０は、適当なタイミングにおいて、電波時計ＩＣ５１から、時・分・秒等の情報を含むタイムコード信号を受信して、時・分・秒の情報を含む時刻情報信号を表示パネル１０側に出力するだけでよく、詳細な時刻を表示パネル１０に表示させる場合にも携帯機器の制御部の負荷は増大しない。
【００４６】
（実施の形態２）
第１の実施の形態では、電波時計ＩＣ５１の出力はＭＰＵ４０のみに供給されたが、表示パネル１０側にも供給されるようにしてもよい。図７は、電波時計ＩＣ５１の出力を表示パネル１０側にも供給する構成の一例を示すブロック図である。図７に示す構成では、ＭＰＵ４０のデコード部４２とドライバＩＣ１２とがバス５３で接続されている。そして、電波時計ＩＣ５１の出力が、バス５３を介して、デコード部４２からもドライバＩＣ１２からも読み出し可能である。
【００４７】
図７に示す構成によれば、表示パネル１０側もＭＰＵ４０も、電波時計ＩＣ５１の出力を参照できる。よって、例えば、表示パネル１０に表示する時刻だけなく、携帯機器の内部で管理する時刻を、電波時計機能にもとづく正確な時刻に維持することができる。
【００４８】
なお、第２の実施の形態では、時刻制御回路１２２が時刻情報信号を得るために電波時計ＩＣ５１から、適宜（例えば、１日に１回とか数時間に１回の周期）、タイムコード信号を読み出すように構成されること以外、第１の実施の形態の構成と同じである。
【００４９】
上記の各実施の形態では、表示装置としてＴＦＴ型液晶表示装置を例にしたが、表示パネルが、信号電極と走査電極とが交差するように形成されＳＴＮ（Super Twisted Nematic ）型表示パネルである場合や、陽極配線と陰極配線とが交差するように形成され有機ＥＬ(Electroluminescence ) 表示パネルである場合にも、本発明を適用することができる。
【００５０】
また、上記の各実施の形態では、表示装置が組み込まれる機器として携帯機器を想定したが、本発明による表示装置が組み込まれる機器は携帯機器に限られず、固定的に設置される機器にも、本発明による表示装置を適用することができる。
【産業上の利用可能性】
【００５１】
本発明は、電波時計機能を内蔵する携帯端末を始めとする機器に好適に適用される。
【図面の簡単な説明】
【００５２】
【図１】本発明による表示装置の第１の実施の形態を示すブロック図。
【図２】時刻表示ウィンドウの構成例を示す説明図。
【図３】エリアおよびセグメントと、行アドレスおよび列アドレスとの対応関係を示す説明図。
【図４】ドライバＩＣに内蔵された電波時計機能を実現するための回路の一部を示すブロック図。
【図５】選択制御信号の出力回路例を示す回路図。
【図６】ドライバＩＣに内蔵された電波時計機能を実現するための回路の他の部分を示すブロック図。
【図７】本発明による表示装置の第２の実施の形態を示すブロック図。
【符号の説明】
【００５３】
１０    表示パネル
１１    表示部
１２    ドライバＩＣ
１３    時刻表示ウィンドウ
３０    フレキシブル基板
３１    水晶発振器
４０    ＭＰＵ
４１    表示制御部
４２    デコード部
５１    電波時計ＩＣ
１２１  分周回路
１２２  時刻制御回路
１２５  画像メモリ
１２６  表示用電圧選択回路
１２７  スイッチ
１２８  時計用電圧選択回路
１２９  スイッチ
１３０  スイッチ制御回路
【図１】
2008083589.tif 000003
【図２】
2008083589.tif 000004
【図３】
2008083589.tif 000005
【図４】
2008083589.tif 000006
【図５】
2008083589.tif 000007
【図６】
2008083589.tif 000008
【図７】
2008083589.tif 000009